【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
収縮性組織を刺激するための埋め込み可能な電極装置であって、
当該電極装置は、第１と第２の電極要素を有しており、これらは、使用においては、互いの間に収縮性組織を受け入れるための間隙が形成されるように、互いに対して延びるように配置されており、
第１と第２の電極要素は、それぞれに、第１と第２の電極を含んでおり、第１と第２の電極は、使用においては、互いに接近して位置し得るものであり、かつ、それらに電気信号が加えられると、それらの間の収縮性組織を刺激するための電界が、それらの間に加えられるように設定されている、
前記埋め込み可能な電極装置。
【請求項２】
第１と第２の電極が、使用においては、互いに向かい合うように位置し得るものである、請求項１記載の埋め込み可能な電極装置。
【請求項３】
各電極要素が、長さ寸法と幅寸法とを有しており、長さ寸法は幅寸法よりも十分に長く、それによって、該電極要素が細長い形態となっている、請求項１または２記載の電極装置。
【請求項４】
各電極要素の長さ寸法が、幅寸法の少なくとも２倍長い、請求項３記載の電極装置。
【請求項５】
長さ寸法が、幅寸法の少なくとも２．５倍長い、請求項４記載の電極装置。
【請求項６】
電極要素の深さ寸法が、幅寸法より小さい、請求項３〜５のいずれか１項に記載の電極装置。
【請求項７】
電極要素が、プロフィールにおいて実質的に平坦である、請求項６記載の電極装置。
【請求項８】
第１と第２の電極が、第１と第２の電極要素の内側表面上に設けられ、該電極が、使用においては、組織の向かい合う部分と接触し、それらの間に組織の一部が在るように、設
定されている、請求項１〜７のいずれか１項に記載の電極装置。
【請求項９】
各電極要素の内側表面が、絶縁材の層から形成され、該層はその中に開口を有し、電極が該開口の所に設けられる、請求項８記載の電極装置。
【請求項１０】
開口が、細長いスリットの形態になっている、請求項９記載の電極装置。
【請求項１１】
第１と第２の電極要素の少なくとも１つが、複数の電極を搭載している、請求項１〜１０のいずれか１項に記載の電極装置。
【請求項１２】
複数の電極が、電極要素の内側表面上に、並んでマウントされている、請求項１１記載の電極装置。
【請求項１３】
複数の電極が、３つまたはそれより多くの電極を含んでおり、これら電極のうちの２つが、それらの間に搭載された能動的電極を遮蔽するように設定された遮蔽電極である、請求項１２記載の電極要素。
【請求項１４】
能動的電極が、第１または第２の電極である、請求項１３記載の電極装置。
【請求項１５】
複数の電極が、比較的細い線の形態となっている、請求項１１〜１４のいずれか１項に記載の電極装置。
【請求項１６】
複数の電極が、細長く、かつ、電極要素の長さの大部分にわたって延びている、請求項１１〜１５のいずれか１項に記載の電極装置。
【請求項１７】
複数の電極が、４つまたはそれより多くの電極のアレイとして備えられている、請求項１１〜１５のいずれか１項に記載の電極装置。
【請求項１８】
アレイが、６つまたはそれより多くの電極を含んでいる、請求項１７記載の電極装置。
【請求項１９】
電極が、複数の横の列と、複数の縦の行となって、配列されている、請求項１７または１８記載の電極装置。
【請求項２０】
電極の３つの縦の行と、電極の３つの横の列とを含んでいる、請求項１９記載の電極装置。
【請求項２１】
第１と第２の電極要素が、各々、導電性部材をマウントした絶縁材を含んでおり、該導電性部材が、第１と第２の電極を提供するように設定されている、請求項１〜２０のいずれか１項に記載の電極装置。
【請求項２２】
絶縁材が、シリコンである、請求項２１記載の電極装置。
【請求項２３】
各電極要素が、その電極要素にマウントされた強化部材を備えている、請求項２１または２２記載の電極装置。
【請求項２４】
強化部材が、電極要素の外側表面にマウントされている、請求項２３記載の電極装置。
【請求項２５】
強化部材が、ＰＥＴメッシュである、請求項２４記載の電極装置。
【請求項２６】
各電極要素が、その電極要素を組織に固定することを可能にする固定手段を含んでいる
、請求項１〜２５のいずれか１項に記載の電極装置。
【請求項２７】
固定手段が、縫合孔穴を含んでいる、請求項２６記載の電極装置。
【請求項２８】
固定手段が、電極要素の少なくとも１つの端の所に、電極要素を組織のまわりに固定することを可能にするように設定された手段を含んでいる、請求項２６または２７記載の電極装置。
【請求項２９】
第１と第２の電極要素が、その基端部において台部にマウントされており、この台部から、それらは、互いの間に組織を受け入れるための間隙が形成されるように、互いに対して延びている、請求項１〜２８のいずれか１項に記載の電極装置。
【請求項３０】
電極要素が、台部から延びる指の形態になっており、台部が基部を形成しており、該基部がそれら指を基端部において接続している、請求項２９記載の電極装置。
【請求項３１】
電極要素が基部で結合されている所を除いて、間隙が全ての側面で開口しており、そのため、当該装置が、洗濯挟みと似た様に、一方の端から組織上に配置することができるものである、請求項３０記載の電極装置。
【請求項３２】
電極要素がフレキシブルであり、それによって、使用において、これに抗して固定される受け入れ組織のおよび／または外側の組織の形状に順応することができる、請求項１〜３１のいずれか１項に記載の電極装置。
【請求項３３】
第１と第２の電極が、これらに電気信号が加えられたとき、これらの間に、組織を刺激するための、限定された電界を形成するように設定されている、請求項１〜３２のいずれか１項に記載の電極装置。
【請求項３４】
限定された電界が、刺激が必要な組織の外にある組織への刺激を、低減または回避するような電界である、請求項３３記載の電極装置。
【請求項３５】
さらに、電極リードを有し、該リードは、第１および第２の電極を刺激装置に接続するように設定されている、請求項１〜３４のいずれか１項に記載の電極装置。
【請求項３６】
電極リードが、使用において、患者の内部の所定の位置に、該リードを固定するための固定手段を含んでいる、請求項３５記載の電極装置。
【請求項３７】
固定手段が、電極リードの周りにあるカラーを含んでおり、該カラーが、縫合孔穴を具備する１つまたは複数のタブを含んでいる、請求項３６記載の電極装置。
【請求項３８】
固定手段が、１つまたは複数の枝角を含んでいる、請求項３６または３７記載の電極装置。
【請求項３９】
尿失禁を制御するための電極装置であって、請求項１〜３８のいずれか１項に記載の電極装置を含み、尿失禁を制御すべく収縮性組織を刺激するために、患者の内部に埋め込むことができるように設定されている、前記電極装置。
【請求項４０】
第１と第２の電極要素が、尿道の周りに巻き付いた新性括約筋の一部分を形成する組織の帯のいずれかの側に配置することができ、新性括約筋が、電極による刺激があると収縮し、自制を維持するように設定される、請求項３９記載の電極装置。
【請求項４１】
興奮性組織を刺激するための電極要素であって、
当該電極要素は、内側表面を有する絶縁部材を有し、該内側表面には、少なくとも１つの能動的電極が設けられ、
当該電極要素は、刺激されるべき組織に隣接して配置することができ、かつ、該電極は、その電極に信号が加えられたときに、組織を刺激するための限定された電界を供給するように設定されている、
前記電極要素。
【請求項４２】
電極要素と、その電極要素に対向して配置し得るさらなる電極要素との間にある組織の中に、制限された電界を形成するように設定されており、組織が電極要素とさらなる電極要素との間に位置するようになっている、請求項４１記載の電極要素。
【請求項４３】
各電極要素が、長さ寸法と幅寸法とを有しており、長さ寸法は幅寸法よりも十分に長く、それによって、該電極要素が細長い形態となっている、請求項４１または４２記載の電極要素。
【請求項４４】
興奮性組織を刺激するための器械であって、
当該器械は、請求項１〜３８のいずれか１項に記載の埋め込み可能な電極装置と、刺激装置とを有し、該刺激装置が、第１および第２の電極に、興奮性組織を刺激するための信号を供給するように設定されている、
前記器械。
【請求項４５】
さらに、刺激装置コントローラーを有し、該刺激装置コントローラーは、刺激装置によって供給される刺激信号を制御するよう作動可能に設定されている、請求項４４記載の器械。
【請求項４６】
さらに、刺激装置プログラマーを有し、該刺激装置プログラマーは、刺激装置の制御パラメータをプログラムするように設定されている、請求項４４または４５記載の器械。
【請求項４７】
患者の疾患を制御するための電極器械であって、
当該電極器械は、請求項１〜３８のいずれか１項に記載の電極装置を有し、疾患を治療するように収縮性組織を刺激するために設定されている、
前記電極器械。
【請求項４８】
疾患が、便失禁であり、電極装置が、肛門通路に影響を及ぼす収縮性組織の刺激のために設定されている、請求項４７記載の器械。
【請求項４９】
疾患が、胃食道逆流であり、電極装置が、食道に影響を及ぼす収縮性組織の刺激のために設定されている、請求項４７記載の器械。
【請求項５０】
疾患が、心臓疾患であり、電極装置が、心臓血管系に影響を及ぼす収縮性組織の刺激のために設定されている、請求項４７記載の器械。
【請求項５１】
収縮性組織の刺激が、カウンターパルセーションに影響を及ぼすように設定されている、請求項５０記載の器械。
【請求項５２】
収縮性組織の刺激によって患者の疾患を治療するように設定された電極装置であって、
当該電極装置は、収縮性組織の帯を刺激するための刺激手段を含んでいる、
前記電極装置。
【請求項５３】
収縮性組織が、括約筋の形態になっている、請求項５２記載の電極装置。
【請求項５４】
収縮性組織が平滑筋組織であり、組織の帯が、平滑筋組織を通って走る神経線維の方向に対して実質的に直角に延びている、請求項５２または５３に記載の電極装置。
【請求項５５】
症状が、尿失禁であり、収縮性組織が、尿道に影響を及ぼすように設定されている、請求項５２〜５４のいずれか１項に記載の配列。
【請求項５６】
疾患が、便失禁であり、収縮性組織が、結腸直腸または肛門に影響を及ぼすように設定されている、請求項５２〜５４のいずれか１項に記載の電極装置。
【請求項５７】
疾患が、胃食道逆流であり、収縮性組織が、食道に影響を及ぼすように設定されている、請求項５２〜５４のいずれか１項に記載の電極装置。
【請求項５８】
疾患が、心臓疾患であり、収縮性組織が、心臓血管系に影響を及ぼすように設定されている、５２〜５４のいずれか１項に記載の電極装置。
【請求項５９】
収縮性組織が、カウンターパルセーションに影響を及ぼすように設定されている、請求項５８記載の電極装置。
【請求項６０】
組織を生体外でテストする方法であって、請求項１〜３８のいずれか１項に記載の電極装置を利用する、前記方法。